(57)【要約】【課題】陰茎の形によらず、陰茎への取付けが容易で、体変換を行なっても外れにくく、また排尿カテーテルを尿道に挿着している場合にも使用できると共に、尿の色などの性状の観察も容易な男性用尿取りパットを提供するものである。【解決手段】長方形状をなす防水シート２の片面にパルプで形成された吸水マット３を一体に取付けた吸水パット４の、長手方向に沿った片側の縁部中央に陰茎５が挿入される半長円形状の凹部６を形成し、前記吸水マット３を内側にして、両側から中央部に向かって斜めに折り曲げて、折り曲げた左側部分７と右側部分８を重ね、この頂部を接合して接合部９を形成したものである。【選択図】  図５
0003159783.tif 000002
【実用新案登録請求の範囲】
【請求項１】
長方形状をなす防水シートの片面にパルプで形成された吸水マットを一体に取付けた吸水パットの、長手方向に沿った片側の縁部中央に陰茎が挿入される凹部を形成し、前記吸水マットを内側にして、吸水パットの両側から中央部に向かって斜めに折り曲げて重ね、重ねた頂部を接合したことを特徴とする男性用尿取りパット。
【請求項２】
両側から中央部に向かって斜めに折り曲げて重ねた部分に、ズレ止めテープを取付けたことを特徴とする請求項１記載の男性用尿取りパット。
【考案の詳細な説明】
【技術分野】
【０００１】
本考案は、男性用尿取りパットに関するものである。
【背景技術】
【０００２】
病院や介護施設、在宅での寝たきりの男性のおむつ介助では、長方形状をなす防水シートの片面にパルプで形成された吸水マットを一体に取付けた大型の紙おむつを尻の下に当て、長方形状をなす防水シートの片面にパルプで形成された吸水マットを一体に取付けた小型の尿取りパットを陰茎に巻き付ける方法が行なわれている。しかしながら床ずれ防止のために体変換などの体動を行なう場合や、陰茎の形によっては陰茎に巻き付けた尿取りパットがずれたり外れたりして、尿漏れしてしまうことがある。漏れた尿の量が多い場合には紙おむつからも漏れて、パジャマやシーツまで汚してしまい、その交換作業や洗濯に手間がかかり、介護者の大きな負担となっていた。
【０００３】
このため紙おむつの側面に漏れ防止ギャザーを形成したもの（特許文献１）もあるが、確実に尿漏れを防止することができない。また陰茎に被せる円筒状の尿取りパット（特許文献２）も提案されている。しかしながらこの円筒状の尿取りパットでは、尿の色などの性状の観察がしにくく、また排尿カテーテルを尿道に挿着している場合には使用できない問題があった。
【先行技術文献】
【特許文献】
【０００４】
【特許文献１】特開平９ー８４８１６
【特許文献２】特開２０００ー４２０１９
【考案の概要】
【考案が解決しようとする課題】
【０００５】
本考案は上記問題を改善し、陰茎の形によらず、陰茎への取付が容易で、体変換を行なっても外れにくく、また排尿カテーテルを尿道に挿着している場合にも使用できると共に、尿の色などの性状の観察も容易な男性用尿取りパットを提供するものである。
【課題を解決するための手段】
【０００６】
本考案の請求項１記載の男性用尿取りパットは、長方形状をなす防水シートの片面にパルプで形成された吸水マットを一体に取付けた吸水パットの、長手方向に沿った片側の縁部中央に陰茎が挿入される凹部を形成し、前記吸水マットを内側にして、吸水パットの両側から中央部に向かって斜めに折り曲げて重ね、重ねた頂部を接合したことを特徴とするものである。
【０００７】
本考案の請求項２記載の男性用尿取りパットは、請求項１において、両側から中央部に向かって斜めに折り曲げて重ねた部分に、ズレ止めテープを取付けたことを特徴とするものである。
【考案の効果】
【０００８】
本考案に係る請求項１記載の男性用尿取りパットによれば、凹部で陰茎を囲むように取付けられているので、陰茎の形状に左右されずに確実に保持することができると共に体変換などの体動を行なってもずれたり外れたりすることがなく、尿漏れを防止することができる。また右側部分と左側部分を左右に開いた状態で取付けるので、カテーテルを尿道に挿着している場合にも取付けることができると共に、交換する場合に左側部分と右側部分を広げて取り外すので、尿の色を見て性状の観察が容易である。
【０００９】
また請求項２記載の男性用尿取りパットによれば、左側部分と右側部分を重ねた部分にズレ止めテープを取付けたので、更に確実に保持することができる。
【考案を実施するための最良の形態】
【００１０】
以下本考案の実施の一形態を図１ないし図５を参照して詳細に説明する。図において１は男性用尿取りパットを示すもので、図１に示す長方形状をなす防水シート２の片面にパルプで形成された吸水マット３を一体に取付けた吸水パット４の、長手方向に沿った片側の縁部中央に陰茎５が挿入される半長円形状の凹部６が形成されている。
【００１１】
この吸水パット４を図２に示すように図中左側部分７を中央部に向かって斜めに折り曲げ、更に図３に示すように図中右側部分８を中央部に向かって斜めに折り曲げ、左側部分７の上に重ねて中空三角形状に形成し、この頂部を接合して接合部９を形成したものである。前記吸水パット４の吸水マット３は、例えば高分子吸水性材を帯状の綿パルプで包み込み、表面を吸水紙と不織布で被覆した構造となっている。
【００１２】
上記構成の男性用尿取りパット１の使用方法は、右側部分８と左側部分７を左右に開いて、半長円形状の凹部６に図５に示すように寝たきりの男性の陰茎５を差し込んで左側部分７と右側部分８を閉じて、陰茎５を中空三角形状の部分で包み込むようにして取付ける。この男性用尿取りパット１は、凹部６で陰茎５を囲むように取付けられているので、人によって異なる陰茎５の形状に左右されずに確実に保持することができる。また床ずれ防止のために体変換などの体動を行なっても、確実に保持されているのでずれたり外れたりすることがなく、尿漏れを防止することができる。
【００１３】
また寝たきりの男性がカテーテル１２を尿道に挿着している場合にも、右側部分８と左側部分７を左右に開いた状態で取付け、左側部分７と右側部分８を重ねた状態でもこの間の非接合部１１から外部に引き出すことができる。また男性用尿取りパット１を交換する場合、右側部分８と左側部分７を広げて取り外すので、吸水マット３にしみ込んだ尿の色を見て性状を観察することができる。また右側部分８と左側部分７とを重ねた頂部は接着した接合部９となっているので、右側部分８と左側部分７を広げても、閉じると折り曲げ形状が維持されて内側に中空三角形状部を形成することができる。
【００１４】
図６は本考案の他の実施の形態を示すもので、左側部分７を折り曲げた状態で防水シート２の裏面にズレ止めテープ１３を取付けたもので、剥離紙を剥がして右側部分８を重ねることにより非接合部１１が部分的に接着されて、更に確実に保持することができる。
【００１５】
なお上記説明では陰茎５が挿入される凹部６を半長円形状に形成した場合について示したが、これに限らず半円形やＶ形あるいはスリット状に形成したものでも良い。
【図面の簡単な説明】
【００１６】
【図１】本考案の実施の一形態による吸水パットを広げた状態を示す平面図である。
【図２】図１の吸水パットの左側部分を斜めに折り曲げた状態を示す平面図である。
【図３】図２の吸水パットの右側部分を斜めに折り曲げて重ねた男性用尿取りパットを示す平面図である。
【図４】図３の男性用尿取りパットの裏面図である。
【図５】陰茎に男性用尿取りパットを取付けた状態を示す平面図である。
【図６】本考案の他の実施の形態によるズレ止めテープを設けた男性用尿取りパットの平面図である。
【符号の説明】
【００１７】
１    男性用尿取りパット                                    
２    防水シート                                            
３    吸水マット                                            
４    吸水パット                                            
５    陰茎                                                  
６    凹部                                                  
７    左側部分                                              
８    右側部分                                              
９    接合部                                                
１１  非接合部                                              
１２  カテーテル                                            
１３  ズレ止めテープ                                        
【図１】
0003159783.tif 000003
【図２】
0003159783.tif 000004
【図３】
0003159783.tif 000005
【図４】
0003159783.tif 000006
【図５】
0003159783.tif 000007
【図６】
0003159783.tif 000008